(57)【要約】      （修正有）【課題】  撮影した画像を送信する際に、転送不可の属性を付与できるようにする。【解決手段】  送信者甲がその移動端末に備えられたカメラ部で撮影した画像データを添付ファイルとして送信する際に、転送不可の属性を付与すると（Ｓ１）、該添付ファイルをＯＭＡフォワード・ロック形式に変換し（Ｓ２）、メールに添付して送信する（Ｓ３）。受信者乙は、そのメールを受信すると（Ｓ４）、添付されているファイルがＯＭＡフォワード・ロック形式であるか判定し、ＯＭＡフォワード・ロック形式であるときは（Ｓ５）、その添付ファイルを転送不可のコンテンツであるとして取り扱う（Ｓ６）。これにより、受信者は、該添付されたコンテンツの再生や保存は行うことができるが、それを他者に転送することはできない。【選択図】  図２
2006146648.tif 000002
【特許請求の範囲】
【請求項１】
コンテンツに転送不可の属性を付与する手段と、
該転送不可の属性が付与されたコンテンツをメールに添付して送信する手段と
を有することを特徴とする移動端末装置。
【請求項２】
前記転送不可の属性が付与されたコンテンツをフォワード・ロック形式に変換する手段を有し、
前記転送不可の属性が付与されたコンテンツをメールに添付して送信する手段は、前記フォワード・ロック形式に変換する手段によりフォワード・ロック形式に変換されたコンテンツをメールに添付して送信するものであることを特徴とする請求項１記載の移動端末装置。
【請求項３】
カメラ部を有し、
前記コンテンツは、該カメラ部を用いて撮影された画像データであることを特徴とする請求項１又は２に記載の移動端末装置。
【請求項４】
メールを受信する手段と、
受信したメールにコンテンツが添付されているときに、該コンテンツがフォワード・ロック形式のコンテンツであるか否かを判定する手段と、
前記コンテンツがフォワード・ロック形式のコンテンツであるときには、該コンテンツを他の装置に転送することを禁止する手段と
を有することを特徴とする移動端末装置。
【発明の詳細な説明】
【技術分野】
【０００１】
本発明は、カメラ付き携帯電話機などの移動端末装置に関する。
【背景技術】
【０００２】
近年、いわゆる第３世代と呼ばれる携帯電話サービスが導入されつつあるが、この第３世代の移動体通信システムにおいては同一の移動端末を世界中で共通に使用することができるように標準化が進められており、ＷＡＰ（Wireless Application Protocol）及びＭＭＳ（Multimedia Messaging Service）の規格が共通仕様として採用されている（非特許文献１）。以下、ＷＡＰ及びＭＭＳ対応の移動端末を単に「ＷＡＰ対応端末」と呼ぶ。
このようなＷＡＰ対応端末においては、OMA DRM（OMA Digital Rights Management）version 1.0に準拠した著作権管理が行われる。OMA DRMは、携帯電話用アプリケーション標準化団体であるオープンモバイルアライアンス（Open Mobile Alliance）が策定したデジタル著作権保護（ＤＲＭ：Digital Rights Management）の仕様である（非特許文献２）。
【０００３】
OMA DRM ver1.0においては、コンテンツの配信方式として、(1) フォワード・ロック（Forward Lock）、(2) コンバインド・デリバリー（Combined Delivery）、及び、(3) セパレート・デリバリー（Separate Delivery）の３つの仕様が規定されている。
(1) フォワード・ロック（Forward Lock）は、取得したコンテンツの転送を許容しない方式である。
(2) コンバインド・デリバリー（Combined Delivery）は、フォワード・ロック形式のコンテンツに権利（使用権の設定）を付加して配信する方式である。
(3) セパレート・デリバリー（Separate Delivery）は、暗号化されたコンテンツ（Media Object：メディアオブジェクト，ＭＯ）と、権利＋鍵（暗号化を解除するための鍵）部分（Rights Object：権利オブジェクト，ＲＯ）とを別々に配信する方式である。
【０００４】
例えば、ＷＡＰ対応端末でサーバから前記フォワード・ロック形式のコンテンツをダウロードしたときには、該ＷＡＰ対応端末は、そのコンテンツを再生することや保存することはできるが、そのコンテンツをコピーすることもできなければメールに添付して転送することもできない。これにより、そのコンテンツの著作権者の権利が保護されている。
【非特許文献１】The WAP Forum Ltd., "WAP 2.0 Technical White Paper", [on line], (2002.01.18), ［平成１６年４月２８日検索］，インターネット<URL: http://www.wapforum.org/what/WAPWhite_Paper1.pdf>
【非特許文献２】Open Mobile Alliance, "OMA Digital Rights Management version 1.0", [on line], [平成１６年４月２８日検索］，インターネット<URL: http://www.openmobilealliance.org/tech/release.html>
【発明の開示】
【発明が解決しようとする課題】
【０００５】
カメラ付き携帯電話機はユーザが撮影した画像をメールに添付して送信することができる。
しかしながら、このような従来の携帯電話機において、撮影した画像に「転送不可」という属性を付与する機能は設けられていない。なお、撮影した画像のプロパティを表示させると「転送可」という属性が表示されるが、この「転送可」という属性を「転送不可」という属性に書き換えることはできなかった。
この点において、従来の携帯電話機は、撮影者（著作権者）の権利を保護するという点に全く着目していなかったということができる。
例えば、ユーザ甲が携帯電話機Ａを用いて撮影した画像をユーザ乙の携帯電話機Ｂに送信した場合、ユーザ乙は、ユーザ甲の意思とは無関係に、その画像を携帯電話機Ｂを用いてその他のユーザの携帯電話機に転送できてしまうという問題点があった。
【０００６】
そこで、本発明は、ユーザが撮影した画像のようにユーザが著作権を有するコンテンツに対し、著作権者であるユーザの権利を保護することができる移動端末装置を提供することを目的としている。
【課題を解決するための手段】
【０００７】
上記目的を達成するために、本発明の移動端末装置は、コンテンツに転送不可の属性を付与する手段と、該転送不可の属性が付与されたコンテンツをメールに添付して送信する手段を有するものである。
また、前記転送不可の属性が付与されたコンテンツをフォワード・ロック形式に変換する手段を有し、前記転送不可の属性が付与されたコンテンツをメールに添付して送信する手段は、前記フォワード・ロック形式に変換する手段によりフォワード・ロック形式に変換されたコンテンツをメールに添付して送信するものである。
さらに、カメラ部を有し、前記コンテンツは、該カメラ部を用いて撮影された画像データとされているものである。
さらにまた、本発明の他の移動端末装置は、メールを受信する手段と、受信したメールにコンテンツが添付されているときに、該コンテンツがフォワード・ロック形式のコンテンツであるか否かを判定する手段と、前記コンテンツがフォワード・ロック形式のコンテンツであるときには、該コンテンツを他の装置に転送することを禁止する手段とを有するものである。
【発明の効果】
【０００８】
本発明の移動端末装置によれば、例えば、ユーザ甲が、携帯電話機Ａを用いて撮影した画像に対して「転送不可」の属性を付した上で、この画像をユーザ乙の携帯電話機Ｂに送信した場合には、ユーザ乙の携帯電話機Ｂは、この画像に付された属性が「転送不可」であるときには、この画像をその他の携帯電話機に転送することができなくなる。
これにより、コンテンツについての著作権者の権利を保護することができる。
【発明を実施するための最良の形態】
【０００９】
図１は、本発明の移動端末装置（以下、単に「移動端末」という。）１のハードウェア構成の概略を示すブロック図である。
本発明の移動端末１は前述したＷＡＰ対応端末であり、図１に示すように、アンテナ１１、無線受信部や無線送信部などからなる無線通信部１２、音声信号処理やベースバンド信号処理などを行う信号処理部１３、送話用マイク１４、受話用スピーカ１５、この移動端末全体の制御を行う制御部１６、制御プログラムやメールの送受信プログラムなどの各種プログラムやダウンロードしたコンテンツなどの各種データを記憶するメモリ１７、表示部１８、キー入力部１９、及び、撮像部を有するカメラ部２０などから構成されている。
この移動端末１は、サーバ装置などから前記フォワード・ロック、コンバインド・デリバリー又はセパレート・デリバリーによりダウンロードしたコンテンツを、前記OMA DRM ver1.0の規定に基づいて取り扱うことができる。
【００１０】
ここで、本発明においては、前記制御部１６の制御により、前記カメラ部２０で撮影した画像データなどのコンテンツに「転送不可」の属性を付与すること、及び、該「転送不可」の属性が付与されたコンテンツをメールに添付して送信することができるようになされている。また、この「転送不可」の属性が付されたコンテンツが添付されたメールを受信した移動端末は、そのコンテンツを他の移動端末に転送することができないようになされている。
【００１１】
図２は、本発明の移動端末装置を用いた送信者甲から受信者乙に「転送不可」の属性を付したコンテンツをメールに添付して送信するときの処理の流れを示す図である。
送信者甲が、前記カメラ部２０で撮影した画像データなどの甲が著作権を有するコンテンツを受信者乙に送信するものとする。ここで、甲は、そのコンテンツを乙以外の者に渡すことは望んでいないものとする。
甲は乙にコンテンツ（画像データとする。）を送信するとき、該送信したい画像データを添付ファイルと決定し、該添付ファイルに「転送不可」の属性を付与する（ステップＳ１）。例えば、メールを作成する画面において、添付ファイルを選択するときに、そのファイルに「転送不可」の属性を付与するか否かを選択することができるようにされており、この画面上で甲が「転送不可」を選択したとする。
「転送不可」の属性を付与することが選択されると、ステップＳ２に進み、その添付ファイルを前記OMA DRM ver1.0で規定されているフォワード・ロック（OMA Forward Lock）形式に変換する。
そして、該フォワード・ロック形式に変換された添付ファイルが添付されたメールを受信者乙に送信する（ステップＳ３）。
なお、添付ファイルに「転送不可」の属性を付与することが選択されなかったときは、通常の形式の添付ファイルが添付されたメールが送信されることとなる。
【００１２】
受信者乙は、前記送信者甲からのファイルが添付されたメールを受信する（ステップＳ４）。
そして、該受信されたメールの添付ファイルがOMA DRMのフォワード・ロック形式であるかそれとも通常の添付ファイルであるかを判断し、フォワード・ロック形式であると識別すると（ステップＳ５）、その添付ファイルを、OMA DRMversion1.0で規定されているように転送不可のファイルとして取り扱う（ステップＳ６）。すなわち、そのファイルを他の移動端末などに転送することを禁止する。
これにより、受信者乙が、送信者甲の意思に反して、そのコンテンツを転送することを防止することができる。
【００１３】
通常の添付ファイルが添付されたメールと、本発明の移動端末装置により送信される「転送不可」の属性を付与された添付ファイル（フォワード・ロック形式の添付ファイル）が添付されたメールについて、図３を参照して説明する。
図中に示す画像ａ１をメールに添付して送信するものとする。この画像の画像データａ２（ファイル名を「test.jpg」とする。）はＪＰＥＧのバイナリーデータであるとする。この画像データａ２をメールに添付する操作を行うと、前記制御部１６により、画像ａ１が添付されたメールが作成される（ａ３）。ａ４はこのメールのソースデータの例を示している。図示するように、添付ファイルのメディアタイプ（Content-Type）は「image/jpeg」とされており、前記画像データａ２をBase64でエンコードした「test.jpg」というファイル名の添付ファイルが添付されていることが示されている。
【００１４】
一方、前記画像ａ１に転送不可の属性を付与して添付ファイルとして送信するときは、画像ａ１に転送不可属性を付与する操作を行なうと、前記制御部１６により、前記画像ａ１を転送不可の属性を有する画像ｂ１に変更する処理が行われる。この処理は、前記画像データ（test.jpg）ａ２にそのメディアタイプの情報を含むヘッダを付加した画像データ（転送不可）ｂ２（ファイル名「test.dm」とする）を作成する処理である。図示するように、作成された画像データ（転送不可）ｂ２には、前記画像データａ２（test.jpg）とそのメディアタイプ（Content-Type: image/jpeg）を示すヘッダ情報が含まれている。なお、図においては、画像ｂ１中に「転送不可」の文字を表示しているが、これは、転送不可属性を有することを明示的に示すために付加したものであって、画像中にそのような文字が含まれるわけではない。
そして、この画像データ（転送不可）ｂ２がメールに添付され、画像ｂ１が添付されたメールが作成される（ｂ３）。ｂ４は、このメールのソースデータの例を示している。図示するように、添付ファイルのメディアタイプは、OMA DRMのフォワード・ロック形式であることを示す「Content-Type: application/vnd.oma.drm.message」とされており、前記画像データ（転送不可）ｂ２をBase64でエンコードした「test.dm」というファイル名の添付ファイルが添付されていることが示されている。
【００１５】
前記受信者乙の移動端末の制御部１６は、添付ファイルが添付されたメールを受信すると、添付ファイルの「Content-Type」を指定するヘッダを判定する。その結果、「Content-Type: application/vnd.oma.drm.message」とされているときは、フォワードロック形式の添付ファイルであると判断し、その添付ファイルが転送不可のコンテンツであると認識する。これにより、前記制御部１６は、そのコンテンツの再生や保存は許可するが、そのファイルを他の機器に転送しようとする操作があったときにはその処理を禁止することとなる。
一方、例えば、「Content-Type: image/jpeg」（添付ファイルがＪＰＥＧ画像であるとき）などの一般的に使用されているメディアタイプであるときには、通常の添付ファイルであると判断する。この場合には、受信者乙は、そのコンテンツの再生、保存、転送などを任意に行うことができる。
このように、本発明の移動端末装置によれば、フォワード・ロック形式の添付ファイルが添付されたメールを受信したときに、そのコンテンツの転送を禁止して、著作権者の意思を尊重することができる。
なお、「Content-Type: application/vnd.oma.drm.message」に対応していない移動端末では、フォワード・ロック形式の添付ファイルを処理することができない。
【００１６】
なお、上記においては、コンテンツに「転送不可」の属性を付与したときに、OMA DRMのフォワード・ロック形式に変換して、メールに添付する実施の形態について説明したが、他の方法、例えば、各移動体通信事業者独自の規格により「転送不可」の属性の取り扱いを規定するようにしてもよい。この場合には、送信側の移動端末は、独自規格により定義された「転送不可」の属性が付与された添付ファイル付きのメールを送信し、該メールを受信した移動端末は、該独自規格に基づいて添付されたコンテンツの転送を行わないように制御される。
【００１７】
また、上述の説明では、コンテンツが前記カメラ部２０で撮影した画像データなどの画像データである場合を例にとって説明したが、これに限られることはない。例えば、ユーザが自身で作成した音楽データやプログラムデータなどのユーザが著作権を有するコンテンツについても、全く同様に適用することができる。
【図面の簡単な説明】
【００１８】
【図１】本発明の移動端末装置のハードウェア構成の一例を示す図である。
【図２】「転送不可」の属性を付与されたコンテンツを送信するときの処理の流れを示す図である。
【図３】通常の添付ファイルが添付されたメールと、フォワード・ロック形式の添付ファイルが添付されたメールについて説明するための図である。
【符号の説明】
【００１９】
１：移動端末装置、１１：アンテナ、１２：無線通信部、１３：信号処理部、１４：マイク、１５：スピーカ、１６：制御部、１７：メモリ、１８：表示部、１９：キー入力部
、２０：カメラ部
【図１】
2006146648.tif 000003
【図２】
2006146648.tif 000004
【図３】
2006146648.tif 000005